(57)【要約】【課題】外刃を外方に凸形状あるいは内方に凸形状の湾曲面形状に変形可能とし、効率的で、剃り残し等のない、剃り味のよい電気かみそりを提供する。【解決手段】外刃２０と、外刃２０の内面に摺接する複数個の小刃３４が外刃２０の長手方向に直列に小刃支持体３２に支持された内刃３０と、内刃３０を前記外刃２０の長手方向に往復動させる駆動機構とを備えた往復動式電気かみそりにおいて、前記外刃２０が、外方に凸形状あるいは内方に凹形状等の湾曲面形状に変形可能に設けられ、前記内刃支持体３２が、前記外刃２０に合わせて湾曲可能に設けられていることを特徴とする。【選択図】          図１
2004254757.tif 000002
【特許請求の範囲】
【請求項１】
外刃と、外刃の内面に摺接する複数個の小刃が外刃の長手方向に直列に小刃支持体に支持された内刃と、内刃を前記外刃の長手方向に往復動させる駆動機構とを備えた往復動式電気かみそりにおいて、
前記外刃が、外方に凸形状あるいは凹形状等の湾曲面形状に変形可能に設けられ、
前記小刃支持体が、前記外刃に合わせて湾曲可能に設けられていることを特徴とする往復動式電気かみそり。
【請求項２】
小刃支持体が、常時は外刃を外方に凸形状に押圧する向きに付勢して支持されていることを特徴とする請求項１記載の往復動式電気かみそり。
【請求項３】
小刃支持体が、駆動モータによって往復駆動される往復駆動軸の上部にスプリング等の付勢部材を介して支持されるとともに、前記往復駆動軸を挟む配置で、スプリング等の付勢部材を介して電気かみそりの本体に支持されていることを特徴とする請求項２記載の往復動式電気かみそり。
【請求項４】
小刃支持体が、常温で外刃の凸形状にならった湾曲形状になるとともに、湾曲変形可能な所要の弾性を備える形状記憶材料からなることを特徴とする請求項１、２または３記載の往復動式電気かみそり。
【請求項５】
外刃が、伸縮性を有するフィルム状の基材に、小刃が摺接する下面が刃面として形成されたリング状の刃体が多数個支持され、隣接する刃体の中間の基材部分が逃がし凹部に形成されていることを特徴とする請求項１記載の往復動式電気かみそり。
【発明の詳細な説明】
【０００１】
【発明の属する技術分野】
本発明は往復動式電気かみそりに関し、より詳細には髭剃り時の押圧力に追従して外刃の外面が湾曲形状に凹凸変形可能に設けられた往復動式電気かみそりに関する。
【０００２】
【従来の技術】
図９（ａ）は従来の往復動式電気かみそりの外刃部分の外面図、図９（ｂ）は外刃と内刃の従来の構成を示している。外刃１０は髭導入孔が形成された薄い金属板からなり、金属板を逆Ｕ字状に湾曲させ、電気かみそりの本体５の上部から外面を露出させるようにして装着されている。一方、内刃１２は、図９（ｂ）に示すように、外刃１０の内側で外刃１０の長手方向に往復動するように設けられている。内刃１２は外刃１０の長手方向に平行に配置された小刃支持体１３に所定間隔をあけて直列状に複数個の小刃１４を配置したものである。小刃１４の上端縁は、外刃１０の内面と同曲率の円弧状に形成され、小刃支持体１３が往復動する際に小刃１４の上端縁に形成された刃と外刃１０との間で髭がカットされる。
【０００３】
図９（ｂ）において、１６は小刃支持体１３の下面の中央部に連結された往復駆動軸である。往復駆動軸は電気かみそりの本体５に内蔵されている駆動モータと、駆動モータの出力軸の回転運動を往復直線運動に変換する変換機構を介して連繋されている。これによって、小刃１４が支持された小刃支持体１３が往復駆動される。
小刃支持体１３は往復駆動軸１６の上部で、外刃１０に当接する向きにスプリングにより付勢されて支持され、髭剃り時の押圧力の作用によって外刃１０および内刃１２がフローティングする。また、小刃支持体１３は軸１８により往復駆動軸１６に軸支され、軸１８を支点として外刃１０および内刃１２が傾動可能となっている。
【０００４】
【特許文献１】
特開平１１−１９３４４号公報
【０００５】
【発明が解決しようとする課題】
往復動式電気かみそりでは、上述したように、外刃１０の内面に内刃１２が摺接した状態で往復動し、内刃１２を介して外刃１０がフローティングされて支持されている。これによって、頬、顎、首などを剃る際に、剃り位置の皮膚の柔らかさや、角度等に応じて外刃１０が浮き沈みしたり傾いたりして、皮膚に外刃１０がなじむようにして髭剃りができるようになっている。
【０００６】
しかしながら、従来の往復動式電気かみそりの外刃１０は、金属の薄板を逆Ｕ字状に湾曲させてその両端を支持したものであり、外刃１０はその外面が凹凸状に湾曲するといった変形が生じ難いものとなっている。外刃１０を構成する金属板は電鋳によって所定の厚さに形成されているし、内刃１２と摺合しても十分な耐久性を有するように所要の強度を有しており、さらに金属板を逆Ｕ字状に湾曲して支持することで剛性が高まり、外刃１０に外力が作用しても外刃１０が湾曲したりする変形が生じにくい形状になっているからである。また、外刃１０に摺接する内刃１２の小刃支持体１３も湾曲等の変形が生じないように小刃１４を支持しているからである。
【０００７】
したがって、従来の往復動式電気かみそりで、外刃１０がフローティングしたり傾いたりする場合でも、外刃１０の頂部は図９（ａ）に示すように、正面方向から見て一直線状となったままであり、外刃１０は直線状のまま平行に昇降したり、傾いたりする。このため、顎のように凸状に湾曲している部分や、顎下のように凹状に湾曲している部分を剃る場合でも、外刃１０は直線的に肌に当たり、外刃１０は部分的に肌に当たるだけとなる。このため、外刃１０を当てる角度を変えながら、何度も電気かみそりを往復させるようにして髭を剃らなければならず、剃り残しができたり、能率的でなかったりするという問題があった。
【０００８】
そこで、本発明はこれらの課題を解決すべくなされたものであり、その目的とするところは、顎、首等の湾曲部分を髭剃りするような場合に、湾曲部分にならって外刃が肌にあたるようにし、肌と外刃とが当たる面積を広くして能率的な髭剃りを可能とし、剃り残しが生じない使いやすい往復動式電気かみそりを提供しようとするものである。
【０００９】
【課題を解決するための手段】
上記目的を達成するため、本発明は次の構成を備える。
すなわち、外刃と、外刃の内面に摺接する複数個の小刃が外刃の長手方向に直列に小刃支持体に支持された内刃と、内刃を前記外刃の長手方向に往復動させる駆動機構とを備えた往復動式電気かみそりにおいて、前記外刃が、外方に凸形状あるいは凹形状等の湾曲面形状に変形可能に設けられ、前記小刃支持体が、前記外刃に合わせて湾曲可能に設けられていることを特徴とする。
なお、外刃は外方に凸形状あるいは凹形状に湾曲して変形可能に設けられていることが特徴であり、通常時における外刃の形状はとくに限定されない。通常時に凸形状となるように付勢して設けられている場合は、電気かみそりを押す力を調節することで、外刃の頂部の形状を適宜調節することができる。また、外刃を外方に押し出すスプリング、あるいは外刃を内方に引き下げる収縮スプリング等の付勢部材の作用を操作スイッチ等の操作部により外部から操作可能とし、これら操作部の操作に応じて外刃の外形形状を可変にすることも可能である。
【００１０】
また、前記小刃支持体が、常時は外刃を外方に凸形状に押圧する向きに付勢して支持されていることを特徴とする。これによって、電気かみそりを押圧する押圧力を調節することにより、顔等の剃り位置の形状に応じて外刃が自然に湾曲して好適な髭剃りがなされる。
また、前記小刃支持体が、駆動モータによって往復駆動される往復駆動軸の上部にスプリング等の付勢部材を介して支持されるとともに、前記往復駆動軸を挟む配置で、スプリング等の付勢部材を介して電気かみそりの本体に支持されていることを特徴とする。
また、前記小刃支持体が、常温で外刃の凸形状にならった湾曲形状になるとともに、湾曲変形可能な所要の弾性を備える形状記憶材料からなることにより、外刃を所要の湾曲面形状となるように調節することが可能となる。
また、前記外刃としては、伸縮性を有するフィルム状の基材に、小刃が摺接する下面が刃面として形成されたリング状の刃体が多数個支持され、隣接する刃体の中間の基材部分が逃がし凹部に形成されているものを使用することができる。
【００１１】
【発明の実施の形態】
以下、本発明の好適な実施の形態について詳細に説明する。
図１は、本発明に係る往復動式電気かみそりの一実施形態の構成を示す。図１は本実施形態の往復動式電気かみそりにおいて特徴的な構成部分である外刃と内刃の構成を示すもので、図１（ａ）は外刃２０の外面図、図１（ｂ）は電気かみそりの内部における外刃２０と内刃３０の配置を示している。
図１は外刃２０に外力が作用していない状態を示すもので、本実施形態の往復動式電気かみそりは、図１（ａ）に示すように、外刃２０に外力が作用しない状態で、外刃２０の頂部が凸状に湾曲した形態となる。
【００１２】
本実施形態の往復動式電気かみそりでは、外刃２０は弾性（可撓性）を有しており、その外面（頂部）の形状が可変となっている。外刃２０に外力が作用しない場合に、外刃２０の頂部が外向きに凸となる湾曲形状となるのは、内刃３０によって外刃２０が外方に押圧されていることによる。すなわち、外刃２０は内刃３０が外刃２０を外方に押圧する押圧力によって外向きに凸となる湾曲形状となっている。
図１（ｂ）において、内刃３０は小刃支持体３２に所定間隔をあけて小刃３４を直列状に配置して形成されている。前述した従来の往復動式電気かみそりと同様に、小刃３４は刃が形成された上端縁が円弧状に形成され、上端縁が外刃２０の内面に摺接する。
【００１３】
このように内刃３０の構成は、図９（ｂ）に示す従来の内刃１２の構成と同様であるが、本実施形態においては、小刃３４を支持する小刃支持体３２を弾性体によって形成し、小刃支持体３２が正面方向から見て凹凸状に湾曲した形状に自在に変形可能としている。図１（ｂ）は小刃支持体３２が上に凸の形状に湾曲した状態である。
小刃支持体３２を湾曲可能とするため、小刃支持体３２は往復駆動軸１６の上端でスプリング３６により外刃２０に向かう方向に常時付勢されて支持され、また往復駆動軸１６を挟む両側位置で、電気かみそりの本体５の隔壁６と小刃支持体３２の下面との間に配置されたスプリング３８ａ、３８ｂによって外刃１０に向かう方向に常時付勢されて支持されている。
【００１４】
小刃支持体３２の長手方向の中央部の下面には、往復駆動軸１６の上端に係合して往復駆動軸１６の軸線方向にスライドするスライド部材３７が取り付けられている。前記スプリング３６は往復駆動軸１６とスライド部材３７との間に装着され、往復駆動軸１６に対して小刃支持体３２を弾発するように支持している。スライド部材３７は往復駆動軸１６の軸線方向に移動自在に、かつ、往復駆動軸１６に対して傾動可能に支持されている。スライド部材３７を往復駆動軸１６に対して移動可能にかつ傾動可能に支持するには、たとえば、スライド部材３７に長孔を設け、この長孔に往復駆動軸１６に固定した軸を係合させるようにすればよい。スライド部材３７と往復駆動軸１６との係合方法は、もちろんこの方法に限るものではない。なお、往復駆動軸１６は電気かみそりの本体に内蔵されている駆動モータ等の駆動機構により外刃２０の長手方向に往復駆動される。
【００１５】
こうして、図１（ｂ）に示すように、小刃支持体３２はスプリング３６、３８ａ、３８ｂにより小刃３４を介して外刃１０を外方に突き出すように作用し、外刃１０は、図１（ａ）に示すように、頂部の中央部分が外方に突出する湾曲した形状となる。スプリング３６、３８ａ、３８ｂは小刃支持体３２を湾曲形状に押圧する作用をなすものであるから、スプリング３６、３８ａ、３８ｂの弾性押圧力は小刃支持体３２の弾性復元力を上回るように設定されている。小刃支持体３２の弾性復元力がスプリング３６、３８ａ、３８ｂの弾性力を上回る場合には、小刃支持体３２を図のように湾曲形状に曲げることができないからである。
なお、スプリング３６、３８ａ、３８ｂには、外刃２０の頂部が所定の湾曲形状となって突出するように所定の弾性力を有するものが使用される。
【００１６】
図２は、内刃３０によって外刃２０を押仕上げている状態の側面図を示す。内刃３０の小刃３４の上端縁が円弧状（上に凸の円弧状）に形成され、外刃２０の内面に小刃３４の上端縁が当接し、小刃３４の上端縁の形状にならって外刃２０が凸状に押し出されている。いいかえれば、内刃３０は外刃２０が降下しようとする作用に抗して、外刃２０を押し上げ、外刃２０の頂部が凸状の湾曲面となるようにしている。図のＡ部分が、小刃３４の上端縁と外刃２０とが接触している部位である。
内刃３０には所定間隔をあけて複数の小刃３４が直列に配置されているから、外刃２０は全体として滑らかな湾曲面形状となるように支持される。２２は電気かみそりの本体に脱着可能に装着される外刃ユニットのケーシング、２４はケーシング２２の内面に外刃２０を係止する係止部である。
【００１７】
なお、内刃３０を湾曲形状に変形可能に支持する方法は上記実施形態の構成に限るものではない。たとえば、上記実施形態では往復駆動軸１６を挟む対称位置に各々１つずつスプリング３８ａ、３８ｂを配置したが、スプリングを複数個ずつ配置することも可能であり、スプリングの配置位置も対称位置に限らず適宜選択可能である。
図３は、小刃支持体３２を湾曲可能に支持する他の構成例を示す。同図で３３は小刃支持体３２を支持する支持プレートである。この支持プレート３３は湾曲等の変形が生じない剛性を備えた素材によって形成されている。
【００１８】
この構成例では、スプリング３８ａ、３８ｂは支持プレート３３を昇降可能に支持する作用、すなわち外刃２０をフローティングさせる作用として用いられている。スプリング３６ａは小刃支持体３２と支持プレート３３との間を弾発するスプリングである。本実施形態では、このスプリング３６ａが小刃支持体３２を湾曲させる作用をなす。小刃支持体３２は、その両端を支持プレート３３の底面から離間させて支持されており、支持プレート３３に対して小刃支持体３２は上に凸あるいは下に凸の形状に湾曲可能となっている。
本実施形態では外刃２０はフローティングによって昇降する作用と、小刃支持体３２が湾曲変形することにより外刃２０が湾曲変形する作用が複合されたものとなる。
【００１９】
なお、本実施形態の小刃支持体３２は通常時においては上に凸の形状に湾曲している。通常時において、小刃支持体３２をこのような湾曲形状とする方法としては、形状記憶合金等の形状記憶材料を用いて、常温で上に凸の形状となるように形状を記憶させた小刃支持体３２を作製する方法を利用することができる。この場合、常温で小刃支持体３２が上に凸の形状となり、所要の湾曲形状に変形可能な弾性を備えるように形成しておき、小刃支持体３２の両端部を電気かみそりの本体側に支持することにより、スプリング３６、３８ａ、３８ｂ等を使用せずに外刃２０を所要の湾曲形状に変形させることができる。形状記憶材料からなる小刃支持体３２と湾曲作用をさせるスプリングあるいはフローティング用のスプリングを併用することももちろん可能である。
【００２０】
本実施形態の往復動式電気かみそりでは、外刃２０として、外面形状が上に凸あるいは下に凸の曲面といった任意の形状になるものを使用する。図４、５はこのような外面形状が可変となる伸縮性（可撓性）を有する外刃２０の構成例を示す。
図４は外刃２０を平坦状に広げた状態、図５は外刃２０の断面図を示す。外刃２０は伸縮性を有するフィルム状に形成された基材４０にリング状に形成された刃体４２を支持したものである。刃体４２は内刃３０の小刃３４との間で髭をカットするためのもので、小刃３４に摺接する側の内面（下面）が刃面となっている。基材４０を伸縮性を有する材料によって形成しているのは、縦横方向、斜め方向等の任意の方向に外刃２０を伸縮自在とするためである。
【００２１】
図５に示すように、外刃２０は基材４０によって隣接する刃体４２が連結されて構成されている。外刃２０の伸縮性は、刃体４２を連結する基材４０が伸縮することによって生じる。
外刃２０の厚さＴは０．０５ｍｍ程度であり、刃体４２の孔４２ａの孔径Ｄは０．６ｍｍ程度である。すなわち、外刃２０は刃体４２の径寸法にくらべて薄く形成されているものである。外刃２０は肌に接触する外面を滑らかに形成するため、刃体４２の外面４２ｂと基材４０との外面とを同一高さ面に形成される。一方、刃体４２の内面側については、刃体４２の下面４２ｃを基材４０の内面よりもわずかに突出させ、刃体４２の下面４２ｃと基材４０との間に逃がし凹部４４を形成する。
【００２２】
この逃がし凹部４４は外刃２０の内側を内刃３０が往復動する際に、内刃３０の小刃３４が基材４０に接触しないようにするためのものである。逃がし凹部４４は、電鋳法によって形成する外刃においても、カウンターシンクとしてなされている形態である。小刃３４の刃と刃体４２とは、刃体４２の下面４２ｃを摺り合わせ面として摺動する。刃体４２はジグザグ配置等により微小間隔で多数個配置されているから、内刃３０がどの移動位置にあっても各々の小刃３４は必ずいずれかの刃体４２に摺接している。したがって、逃がし凹部４４を設けておけば、内刃３０が往復動する際に、内刃３０の小刃３４が基材４０に接触することはない。
【００２３】
このように、外刃２０を伸縮可能とし、外刃２０にリング状に形成した刃体４２を設けたことにより、刃体４２の孔４２ａから髭を導入して、内刃３０との協働作用によって髭をカットすることができる。
なお、上述した外刃２０は、たとえば、伸縮性、可撓性を有する樹脂材を用いて、刃体４２をインサート成形する方法、基材４０に刃体４２をセットするセット孔をあけておき、セット孔に刃体４２を各々挿入してセットするといった方法によって形成することができる。図５に示すように、刃体４２の内面側の周縁にフランジを設けて、刃体４２の外面側の端面位置を規制するように設けることもできる。
なお、外刃２０としての所要の伸縮性、可撓性および内刃３０との摺り合わせによる耐久性を備えている材料が使用できる場合は、外刃２０自体をそれらの材料を用いて形成することができる。
【００２４】
図１は、外刃２０に外力が作用していない状態で、外刃２０の頂部が外方に突出するように湾曲している状態を示す。図６、７は、外刃２０に外力を作用させた状態を説明的に示すものである。
図６は、外刃２０を外側から押圧する力を作用させた場合で、外刃２０の頂部が下向きに凸の形状に湾曲している状態を示す。この場合は、図６（ｂ）に示すように、外刃２０が押し下げられることによって、スライド部材３７が押し下げられ、小刃支持体３２も外刃２０と同様に下向きに湾曲した形状となる。
図７は、外刃２０を外側から押圧する力が図６の場合よりも弱い場合で、外刃２０の頂部が略一直線状になった場合である。外刃２０の形状に追従して小刃支持体３２も略一直線状となる。往復駆動軸１６に支持されたスライド部材３７は上下方向の中間位置にある。
【００２５】
なお、本実施形態の往復動式電気かみそりでは、外刃２０が湾曲した形状となっている状態で、内刃３０が外刃２０の内面に摺接しながら、外刃２０の長手方向に往復動して髭剃り作用をなす。このような作用が可能となるのは、外刃２０と内刃３０の小刃３４とが常時、摺り合わせ状態にあって外刃２０が支持されていること、小刃支持体３２は湾曲状に変形することが容易に可能であり、外刃２０の形状に合わせて、もしくは外刃２０の変形に追従して変形可能であることによっている。
【００２６】
このように、本実施形態の往復動式電気かみそりは、外刃２０の外面形状が外刃２０に作用する外力によって変化するから、頬、顎、顎下等の剃り位置によって外刃２０の形が変化し、剃り位置に応じて的確な髭剃りが可能となる。
図８は、剃り位置によって往復動式電気かみそりの外刃２０の形態が変わる様子を示す説明図である。図８（ａ）は、頬の髭を剃っている状態で、この場合は肌がたいらになっているから、わずかに肌に外刃２０を押すようにして用いる。これによって、外刃２０の頂部は直線状となって、たいらな部分を好適に剃ることができる。図８（ｂ）は、顎下部分を剃っている場合である。顎下部分は凹んでいるから、外刃２０に力を加えずに剃ることで、外刃２０が外方に湾曲して突出し、凹み部分を好適に剃ることができる。図８（ｃ）は、顎部分を剃っている場合である。顎部分は外側に突出しているから、外刃２０に力を加えるようにすることで、外刃２０を凹ませ、これによって顎のかたちにならうようにして剃ることができる。
【００２７】
本実施形態の往復動式電気かみそりは、肌に外刃がフィットして剃ることができるから、肌と外刃との接触面積が広くなり、これによって効率的に髭を剃ることができる。また、、肌と外刃とがフィットしやすくなることで、剃り残しがなく、的確に髭を剃ることが可能となる。
なお、上記実施形態では、外刃２０を単列で配置される往復動式電気かみそりについて説明したが、外刃２０が並列に２列もしくはこれ以上の複数列に配置される往復動式電気かみそりについても、同様に上述した小刃支持体、外刃等の構成を適用することができる。これらの電気かみそりの場合も、上述した実施形態と同様に、外刃に外力が作用することによって外刃が湾曲し、顔の剃り位置に応じて好適な髭剃りをすることが可能になる。外刃が２列に配置されているような電気かみそりでは、一方の外刃が外方に突出するように湾曲し、他方の外刃が内方に凹むように湾曲するといったように、一方と他方の外刃の変形（湾曲）が組み合わされて表れるようにすることもできる。
【００２８】
また、外刃の外形形状を可変にする考え方は、ドーム形の外刃を備えた回転式電気かみそりに適用することも可能である。ドーム形の外刃を備えた回転式電気かみそりの場合も、外刃を伸縮性材料等により形成して外形形状を凸形状あるいは凹形状に変形可能とし、内刃を内周側と外周側の２つの内刃を同芯に配置し、内周側と外周側の２つの内刃を付勢部材等により各々軸線方向に可動となる構成とすればよい。この場合、外刃は中心対称の凸形状あるいは凹形状の湾曲面等に変形して髭剃りがなされる。
【００２９】
【発明の効果】
本発明に係る往復動式電気かみそりによれば、上述したように、外刃を外方に凸形状あるいは内方に凸形状の湾曲面形状に変形可能とし、外刃とともに内刃を湾曲させるようにしたことにより、顔の髭剃り位置に合わせて外刃の形状を変えて髭剃りすることが可能となり、効率的な髭剃りが可能になるとともに、剃り残し等のない、剃り味のよい往復動式電気かみそりとして提供できる等の著効を奏する。
【図面の簡単な説明】
【図１】往復動式電気かみそりの一実施形態の構成を示す正面図（ａ）および内部構成を示す説明図（ｂ）である。
【図２】内刃と外刃との摺り合わせ部分の構成を示す説明図である。
【図３】小刃支持体の他の支持方法を示す説明図である。
【図４】外刃の全体構成を示す説明図である。
【図５】外刃の断面図である。
【図６】外刃に外力が作用した状態を示す説明図である。
【図７】外刃に外力が作用した状態を示す説明図である。
【図８】往復動式電気かみそりを使用している状態を示す説明図である。
【図９】往復動式電気かみそりの従来の構成を示す正面図（ａ）および内部構成を示す説明図（ｂ）である。
【符号の説明】
１０  外刃
１２  内刃
１３  小刃支持体
１６  往復駆動軸
２０  外刃
３０  内刃
３２  小刃支持体
３３  支持プレート
３４  小刃
３６、３６ａ、３８ａ、３８ｂ  スプリング
３７  スライド部材
４０  基材
４２  刃体
４４  逃がし凹部
【図１】
2004254757.tif 000003
【図２】
2004254757.tif 000004
【図３】
2004254757.tif 000005
【図４】
2004254757.tif 000006
【図５】
2004254757.tif 000007
【図６】
2004254757.tif 000008
【図７】
2004254757.tif 000009
【図８】
2004254757.tif 000010
【図９】
2004254757.tif 000011